(57)【要約】【課題】放送データに含まれる情報と他の情報とを融合させて画面表示を行う。特に、自分個人の情報を番組と同時に表示可能にする。【解決手段】  情報を記録する情報記録手段と、視聴中の番組に関するメタ情報を取得するメタ情報取得手段と、前記メタ情報に基づいて前記情報記録手段に記録された情報を検索する検索手段と、前記検索手段による検索結果の情報を前記視聴中の番組と共に提示する提示手段とを具備したことを特徴とする。【選択図】      図１
2006311322.tif 000002
【特許請求の範囲】
【請求項１】
情報を記録する情報記録手段と、
視聴中の番組に関するメタ情報を取得するメタ情報取得手段と、
前記メタ情報に基づいて前記情報記録手段に記録された情報を検索する検索手段と、
前記検索手段による検索結果の情報を前記視聴中の番組と共に提示する提示手段とを具備したことを特徴とするテレビジョン表示装置。
【請求項２】
前記情報記録手段には、個人情報が記録されることを特徴とする請求項１に記載のテレビジョン表示装置。
【請求項３】
前記検索手段は、前記メタ情報から抽出したキーワードを用いたキーワード検索を行うことを特徴とする請求項１に記載のテレビジョン表示装置。
【請求項４】
個人を特定する認証手段を更に具備し、
前記検索手段は、前記認証手段によって特定された個人についての個人情報を前記情報記録手段から検索することを特徴とする請求項１に記載のテレビジョン表示装置。
【発明の詳細な説明】
【技術分野】
【０００１】
本発明は、ディジタルテレビジョン放送の受信に好適なテレビジョン表示装置に関する。
【背景技術】
【０００２】
近年、ディジタル技術を利用して、放送信号中に番組の情報等をコード化して多重伝送するテレビジョン放送が行われている。例えば、多重化するメタ情報としては、選局に用いる番組案内情報等がある。受信機側では、多重化された番組案内情報を必要に応じて再生することにより、選局に利用することができる。
【０００３】
例えば、近年、放送局は番組案内情報として、ＥＰＧ（Electoric Program Guide）データを放送信号中に多重して伝送している。受信側では、このＥＰＧデータを用いることで、表示画面上に番組表を表示させることができる。また、ＥＰＧデータには、各番組のジャンルについての情報も含まれており、ジャンル別の番組表を表示させること等も可能である。
【０００４】
このような放送データに含まれるメタ情報を利用するものとして、特許文献１にて開示されたものがある。特許文献１は、メタ情報を用いることで、放送データ内から必要なデータを取り出して、独自の画面を作成する手法を開示している。
【特許文献１】特開２００３−１４３５５７号公報
【発明の開示】
【発明が解決しようとする課題】
【０００５】
特許文献１の装置は、放送データに含まれるデータを利用することで、独自の画面を作成し、これにより、番組表示の遅れを感じさせない画面表示を得るものである。
【０００６】
しかしながら、特許文献１の装置における独自の画面は、放送データによって得られるものであり、独自の画面を表示しても情報量が増える訳ではない。
【０００７】
本発明は、放送データに含まれる情報と他の情報とを融合させて画面表示を行うことにより、発展的な画像表現を可能にすることができるテレビジョン表示装置を提供することを目的とする。
【課題を解決するための手段】
【０００８】
本発明に係るテレビジョン表示装置は、情報を記録する情報記録手段と、視聴中の番組に関するメタ情報を取得するメタ情報取得手段と、前記メタ情報に基づいて前記情報記録手段に記録された情報を検索する検索手段と、前記検索手段による検索結果の情報を前記視聴中の番組と共に提示する提示手段とを具備したことを特徴とする。
【発明の効果】
【０００９】
本発明によれば、放送データに含まれる情報と他の情報とを融合させて画面表示を行うことにより、発展的な画像表現を可能にすることができるという効果を有する。
【発明を実施するための最良の形態】
【００１０】
以下、図面を参照して本発明の実施の形態について詳細に説明する。図１は本発明の一実施の形態に係るテレビジョン表示装置を示すブロック図である。
【００１１】
テレビジョン表示装置１は、地上波や衛星やケーブル等を媒体とした放送によって伝送される番組データを表示のために受信する装置である。なお、テレビジョン表示装置１は、番組データの録画も可能である。更に、後述するように、テレビジョン表示装置１は、番組データだけでなく、種々のデータを記録可能である。
【００１２】
番組データ受信部２は、放送によって伝送される番組データを受信する。番組データ受信部２は、番組データに基づく画像を表示する場合には、指定された番組データを受信して、表示部１０に出力するようになっている。また、番組データ受信部２は、番組データを録画する場合には、指定された番組データを受信して、記録再生部６に出力するようになっている。なお、図１では表示部１０を内蔵している例を示しているが、表示部１０は外付けであってもよい。
【００１３】
選局部４は、表示管理部５に制御されて、指定された番組を番組データ受信部２に受信させるようになっている。記録再生部６は、表示管理部５に制御されて、番組データ受信部２によって受信された番組データに対する録画処理を行う。記録再生部６によって録画処理された番組データは番組データ記録部１４に与えられる。また、記録再生部６は、表示管理部５に制御されて、番組データ記録部１４に記録されている番組データを読み出して再生処理を行い、表示部１０に与えて表示させることもできるようになっている。
【００１４】
番組データ記録部１４は、ハードディスク、光ディスク、ビデオテープ等の記録メディアによって構成されている。番組データ記録部１４は、記録再生部６からの番組データを記録すると共に、表示管理部５の要求に従って、記録している番組データを記録再生部６に出力することができるようになっている。
【００１５】
本実施の形態においては、番組データ以外のデータを記録するために、情報記録手段としての個人情報記録部１２が設けられている。Ｉ／Ｏ部８は、後述するリモコン２１との間でデータの授受を行うと共に、図示しない外部機器との間でデータの送受を行うようになっている。これにより、Ｉ／Ｏ部８は、外部機器から種々のデータを取込むことができる。例えば、Ｉ／Ｏ部８は、外部機器としてメモリリーダーの出力端が接続されて、メモリリーダーに挿入されたＩＣメモリカードからの情報を取り込むことができる。これにより、テレビジョン表示装置１は、Ｉ／Ｏ部８を介して、写真データ、音楽データ、動画データ等の種々のデータを取込むことができるようになっている。
【００１６】
本実施の形態においては、外部データとして例えば種々の個人情報を扱う。Ｉ／Ｏ部８は、外部からの個人情報を表示管理部５に与えるようになっている。表示管理部５は、Ｉ／Ｏ部８を介して入力された個人情報を個人情報記録部１２に記録するようになっている。
【００１７】
本実施の形態においては、表示管理部５は、番組データ記録部１４に記録される番組データ及び個人情報記録部１２に記録される個人情報についての種々の情報をデータベース化して、ＤＢ情報記憶部１３に与えて記憶させるようになっている。
【００１８】
図２は図１中のＤＢ情報記憶部１３に記録されるデータベース情報の一例を示す説明図である。
【００１９】
データベース情報は、タイトル、収録日時、ジャンル、出演者、内容等を含む。例えば、図２の１レコード目では、歌手のＡＡＡ，ＢＢＢが出演したタイトルが××××でジャンルが△△△の番組が、ＹＹ年ＭＭ月ＤＤ日に録画されたことを示している。また、図２の２レコード目では、１９６２年３月２８日に撮影された「いちろう」の写真のデータが保存されていることを示している。また、図２の３レコード目では、２００２年１０月１０日の運動会において撮像した「あけみ」の動画像のデータが保存されていることを示している。
【００２０】
表示管理部５は、データベース情報中の各レコードのデータを、個人情報記録部１２及び番組データ記録部１４から読み出すことができるようになっている。
【００２１】
メタ情報取得手段としての情報取得部３は、アンテナ１１からの放送等を介して送られてくるＥＰＧデータ等のメタ情報を受信する。受信されたメタ情報は、表示管理部５に与えられる。なお、メタ情報は、番組ＩＤ、チャンネル、番組名、放送日、開始時刻、終了時刻、ジャンル及び出演者等の項目の情報を含む。
【００２２】
また、テレビジョン表示装置１は撮像部７を有している。撮像部７は、表示部１０の筐体に対向する所定範囲又はテレビジョン表示装置１の本体に対向する所定範囲を撮像する。図１では、撮像部７をテレビジョン表示装置１内に設けた例を示したが、撮像部７のカメラ部を、例えば、表示部１０の表示画面（図示せず）の前面のいずれかの位置に設けて、表示画面を見るユーザを撮像可能なように配置してもよい。また、例えば、テレビジョン表示装置１の本体を配置する室内のいずれかの位置に撮像部７のカメラ部を配置し、室内に入出したユーザを撮像可能なようにしてもよい。
【００２３】
撮像部７は、撮像したユーザの画像データを表示管理部５に出力するようになっている。認証手段としての表示管理部５は、ユーザの画像データに対する画像認識処理によって、撮像されたユーザが誰であるかを特定する。個人特徴記憶部１１には、予め、表示部１０の表示画面を見る可能性のある個人について、画像認識処理に用いる特徴量が記憶されている。表示管理部５は、個人特徴記憶部１１に記憶されている特徴量と、撮像部７からの撮像画像との一致検出を行って、例えば顔認証を行うことで、撮像された個人を特定することができるようになっている。
【００２４】
本実施の形態においては、検索手段としての表示管理部５は、現在表示中の番組についてのメタ情報を取得すると、このメタ情報からキーワードを抽出するようになっている。そして、表示管理部５は、情報取得部３を制御して、インターネット１２に対して、メタ情報から抽出したキーワードを用いた検索を実行させる。情報取得部３は、検索結果の情報を表示管理部５に与えるようになっている。
【００２５】
また、表示管理部５は、メタ情報から抽出したキーワードを用いて、ＤＢ情報記憶部１３内を検索するようになっている。これにより、表示管理部５は、ＤＢ情報記憶部１３内の検索結果を取得する。この場合には、表示管理部５は、個人認証の認証結果に応じて検索範囲を制限してもよい。例えば、個人認証によって個人ａが特定された場合には、ＤＢ情報記憶部１３中の個人ａに関する情報のみを検索範囲に設定する。
【００２６】
提示手段としての表示管理部５は、メタ情報に基づくキーワードを検索キーとしたインターネット１２上の検索結果及びＤＢ情報記憶部１３内の検索結果を、表示部１０に表示可能にする。即ち、表示管理部５は、先ず、検索結果を分類し、分類に応じたアイコン表示（以下、分類アイコンという）を作成して表示部１０に表示させるようになっている。また、表示管理部５は、ユーザの分類アイコンに対する選択操作が行われると、選択された分類アイコンで特定される分類に含まれる検索結果の情報を提示するようになっている。
【００２７】
この場合には、表示管理部５は、検索結果に基づく情報表示を番組データに基づく表示と重ねて、或いは例えば親子画面によって表示させる。
【００２８】
Ｉ／Ｏ部８は、リモコン２１のＩ／Ｏ部２５と表示管理部５との間のデータ授受のためのインターフェース処理も行う。リモコン２１は、Ｉ／Ｏ部２５を有しており、Ｉ／Ｏ部２５は、テレビジョン表示装置１のＩ／Ｏ部６との間で、データの授受が可能である。Ｉ／Ｏ部２５は、制御部２２からのデータをＩ／Ｏ部６に転送すると共に、Ｉ／Ｏ部６からのデータを制御部２２に与えることができる。
【００２９】
リモコン２１は、テレビジョン表示装置１に対する操作を行うための図示しないキー等を備えた入力部２６を有している。入力部２６の操作に基づく信号は制御部２２に転送される。制御部２２は、入力部２６の操作に基づく信号をテレビジョン表示装置１に転送するようになっている。
【００３０】
また、リモコン２１はセンサ部２４を有している。センサ部２４は、例えば、入力部２６の図示しない操作スイッチをユーザが操作することによって、ユーザの指紋を検出することができるようになっている。制御部２２は、センサ部２４が検出した指紋の情報をテレビジョン表示装置１に送信することができるようになっている。表示管理部５は、リモコン２１のユーザ操作による指紋情報を受信すると、この指紋情報に基づいて個人認証処理を行うこともできるようになっている。
【００３１】
なお、撮像部７からの画像に基づいて、表示管理部５が確実に個人認証を行うことができる場合には、リモコン２１のセンサ部２４は省略可能である。
【００３２】
次に、このように構成された実施の形態の動作について図３及び図４を参照して説明する。図３は個人情報等を提示するまでの処理の流れを示すフローチャートである。図４は画面上の分類アイコンの表示例を示す説明図である。
【００３３】
アンテナ９において受信された放送データは番組データ受信部２に与えられる。番組データ受信部２は選局部４に選局が指示されて、指定された番組を受信する。受信された番組データは、表示部１０に与えられて表示に用いられるか又は記録再生部６に与えられて番組データ記録部１４に記録される。
【００３４】
表示管理部５は、番組データ記録部１４に記録した番組については、その番組に関するデータベース情報をＤＢ情報記憶部１３に記憶させている。また、表示管理部５は、Ｉ／Ｏ部８を介して個人情報が入力されると、この個人情報を個人情報記憶部１２に記録させると共に、記録した個人情報に関するデータベース情報をＤＢ情報記憶部１３に記憶させる。
【００３５】
なお、個人情報として写真の情報を記録させる場合等においては、「タイトル」等が付されていないことが考えられる。この場合には、表示管理部５は、リモコン２１の入力部２６等を用いた操作によって、データベース情報をユーザ入力によって更新するようにしてもよい。
【００３６】
いま、ＤＢ情報記憶部１３に図２に示すデータベース情報が記憶されているものとする。また、個人特徴記憶部１１には、視聴の可能性がある各個人、例えば、図２の例における「いちろう」、「あけみ」の少なくとも２人について、各個人を認証するための個人毎の特徴量を予め記憶させておく。
【００３７】
いま、例えば「いちろう」が、放送されている番組の視聴を開始するものとする。表示管理部５は、図３のステップＳ１において、個人認証を指示する。撮像部７は表示部１０の表示画面を見ている「いちろう」を撮像し、撮像画像を表示管理部５に出力する。
【００３８】
表示管理部５は、撮像画像がだれの画像であるかを判定する。表示管理部５は、撮像画像と個人特徴記憶部１１に記憶されている各人の特徴量との比較によって、表示画面を見ている個人が「いちろう」であることを把握する。
【００３９】
次のステップＳ２において、表示管理部５は、メタ情報の取得を指示する。情報取得部３は、例えば放送データに含まれるＥＰＧデータ等を受信して表示管理部５に出力する。次に、表示管理部５は、取得したメタデータからキーワードを抽出する（ステップＳ３）。
【００４０】
表示管理部５は、抽出したキーワードを用いた検索を行う。即ち、表示管理部５は、情報取得部３を制御してインターネット１２からキーワードを含む情報を検索する。また、表示管理部５は、ＤＢ情報記憶部１３に対するキーワード検索を行う。なお、この場合には、表示管理部５は、個人認証の認証結果に基づく検索を行う。例えば、表示画面を「いちろう」が見ている状態であるので、表示管理部５は、「いちろう」についてのＤＢ情報を検索する。
【００４１】
いま、例えば、「いちろう」が視聴中の番組の出演者に、歌手の「ＡＡＡ」が含まれるものとする。この場合には、メタ情報から抽出したキーワードには「ＡＡＡ」が含まれる。情報取得部３は、インターネット１２から「ＡＡＡ」を検索キーとしてキーワード検索を行うことになる。そうすると、例えば、歌手「ＡＡＡ」の生い立ちや現在の仕事についての情報等が取得されることもある。或いは、歌手「ＡＡＡ」が特に１９６０年代に活躍した歌手で、視聴中の番組ではその年代に流行した歌を歌う場合であっても、インターネット１２を検索することによって、１９６０年代以降に歌った曲やその年代以降の活躍等についても、情報が得られる可能性がある。
【００４２】
また、この場合においては、メタ情報から抽出したキーワードとして「１９６０年代」が含まれる可能性もある。そうすると、表示管理部５が「いちろう」について、１９６０年代をキーワードにＤＢ情報を検索することで、図２の２番目のレコードが検索されることも考えられる。
【００４３】
表示管理部５は、検索結果を分類する。例えば、取得した情報の検索先がインターネット上のニュース関連サイトであれば、取得した情報を「出来事」に分類し、また例えば、取得した情報の検索先がＤＢ情報記憶部１３であって、取得した情報の拡張子がＪＰＥＧであれば、取得した情報を「アルバム」に分類する。また、取得した情報がキーワード「ＡＡＡ」に基づくものである場合には、「ＡＡＡその後」という分類に分類してもよい。
【００４４】
表示管理部５は、各分類を示す分類アイコンを作成して、表示部１０に表示させる。この場合には、視聴中の番組上にスーパーインポーズしてもよく、番組の表示を行う領域以外の領域に表示させてもよい。図４は表示画面３１上に３つの分類アイコンを表示した例を示している。なお、図４では視聴中の番組についての表示は省略している。
【００４５】
ユーザは分類アイコンを見ることで、視聴中の番組に関連した情報を提示可能であることを知ることができる。また、「アルバム」の分類アイコンによって、視聴中の番組に関連した自分の写真のデータが個人情報記録部１２内に記録されていることを知ることができる。
【００４６】
ここで、ユーザがリモコン２１の入力部２６等の操作によって、「アルバム」の分類アイコンを選択指定するものとする。そうすると、表示管理部５は、「アルバム」に分類した「いちろう」に関する情報を、個人情報記録部１２から読み出して表示部１０に与えて表示させる。なお、この場合における表示についても、視聴中の番組上へのスーパーインポーズであってもよく、番組の表示を行う領域以外の領域における表示であってもよい。即ち、この場合には、図２の２番目のレコードにて示す、１９６２年３月２８日に撮影した自身の写真を、視聴中の番組に重ね合わせて表示することができる。
【００４７】
なお、各分類に２つ以上の情報が含まれる場合には、分類アイコンが指定されると分類内の情報をリスト表示し、ユーザに表示させる情報を選択させてもよく、また、分類内の全ての情報を表示画面３１上に表示させるようにしてもよい。
【００４８】
このように本実施の形態においては、個人情報をデータベース化して保存しておく。そして、視聴中の番組に関連するメタ情報からキーワードを抽出し、抽出したキーワードを用いたキーワード検索をインターネット及び個人情報のデータベース情報に対して行う。こうして抽出された情報を視聴中の番組と共に表示する。これにより、放送データに含まれる情報だけでなく、インターネット上の情報や自分の個人情報とを融合させて画面表示を行うことができ、発展的な画像表現が可能となる。例えば、過去の自分の映像を過去の事柄を扱う番組に重ねて表示させることができる。
【００４９】
なお、キーワード検索によって取得する情報としては、映像情報だけでなく音声情報であってもよい。この場合には、取得した音声を、視聴中の番組と同時にスピーカから音響出力させればよい。
【図面の簡単な説明】
【００５０】
【図１】本発明の一実施の形態に係るテレビジョン表示装置を示すブロック図。
【図２】実施の形態の動作を説明するための説明図。
【図３】実施の形態の動作を説明するためのフローチャート。
【図４】検索結果を示す分類アイコンの表示例を示す説明図。
【符号の説明】
【００５１】
１…テレビジョン表示装置、３…情報取得部、５…表示管理部、７…撮像部、１０…表示部、１２…個人情報記録部、１３…ＤＢ情報記憶部。  
【図１】
2006311322.tif 000003
【図２】
2006311322.tif 000004
【図３】
2006311322.tif 000005
【図４】
2006311322.tif 000006